(57)【特許請求の範囲】
【請求項１】
略平板状のパネル基材の表面に複数個のタイルを、それらの間に所定幅の目地を設けるようにして貼り詰めてタイルパネルが構成されており、
前記各タイルを、地盤高から１ｍ以上２ｍ以下の範囲内の所定の寸法だけ上方の高さである基準高を始点として、それぞれ上方向または下方向に向かって割り付けることを特徴とするタイルパネルのタイル割付方法。
【請求項２】
請求項１に記載のタイルパネルのタイル割付方法において、
前記タイルパネルは、前記各タイルがその側面のうち互いに隣接する側面間に、面取部を備えるように形成されているタイルパネル、前記各タイルがその正面と側面との間に、面取部を備えるように形成されているタイルパネル、前記各タイルがその側面のうち互いに隣接する側面間に、面取部を備えるとともに、その正面と側面との間に、面取部を備えるように形成されているタイルパネル、前記各タイルがその正面と側面との交差部に凹陥部を備えるように形成されているタイルパネルのうちのいずれかであることを特徴とするタイルパネルのタイル割付方法。
【発明の詳細な説明】
【０００１】
【発明の属する技術分野】
本発明は、略平板状のパネル基材の表面に複数個のタイルを、それらの間に所定幅の目地を設けるようにして貼り詰めて構成されるタイルパネルのタイル割付方法に関する。
【０００２】
【背景の技術】
住宅やビルなどの建築物をはじめとする各種構造物の壁面などの外表面をタイル仕上げとする場合に、例えば、繊維補強セメント板、ＡＬＣ（軽量気泡コンクリート）板、ＰＣ（プレキャスト・コンクリート）板などから成る略平板状のパネル基材の表面に複数個のタイルを、それらの間に所定幅の目地を設けるようにして貼り詰めて構成されるタイルパネルを、工場で予め製作しておき、これらタイルパネルを構造物の施工現場に搬入して、構造物の躯体に取り付ける施工方法がある。
この施工方法によれば、施工現場におけるタイルの貼付け作業が省略されるので、施工性が格段に向上する。また、タイルが、工場においてパネル基材の表面に取り付けられるので、その接着強度が安定的に確保されるとともに、仕上がりが美麗なものとなる。
【０００３】
また、建築構法として、桟材からなる矩形枠状の少なくとも一方の面に面材が貼設された木製パネルを予め作成しておき、建築現場において、これら木製パネルを組み合わせ、住宅などの床、壁、屋根などを構築することによって、建築現場での施工作業を省力化することのできるパネル工法が知られている。
そして、例えば特開平８−８２０３０号公報に示されているように、このパネル工法において、外壁として用いられる上記木製パネル（外壁パネル）にタイルパネルなどの外装材を予め工場で取り付けておき、これら外壁パネルを建物の構築現場に搬入して組み立てることで、建築現場で外壁パネルにタイルパネルを取り付ける作業を減らし、建物の外装面の施工期間や施工費用を削減することが考えられている。
【０００４】
ここで、このようなタイルパネルや外壁パネルを使用して外装面を構成する場合には、外装面全体のタイル割付の見栄えを良くするために、互いに隣接する二枚のタイルパネルの目地同士の位置関係に配慮する必要がある。
タイルの目地の幅は、タイルパネルや外壁パネルの製作寸法に比べて非常に小さい。したがって、互いに隣接する二枚のタイルパネルの目地の位置を正確に合わせるには、タイルパネルや外壁パネルの製作寸法および取付位置の精度を非常に高くする必要がある。すると、上記のタイルパネルや外壁パネルを使用することによる利点、すなわち、施工現場におけるタイルの貼付け作業が省略され、外装面の施工期間や施工費用が削減されるという利点が相殺されてしまう、という問題があった。
【０００５】
【発明が解決しようとする課題】
本発明の課題は、外装面を構成する際に、互いに隣接する二枚のタイルパネルの目地の位置のズレを目立ちにくくし、外装面全体に均一的に良好な意匠性を持たせることのできるタイルパネルのタイル割付方法を提供することである。
【０００６】
【課題を解決するための手段】
上記の課題を解決するため、請求項１記載の発明は、例えば図１〜図４に示すように、略平板状のパネル基材１１の表面に複数個のタイル２０を、それらの間に所定幅の目地（縦目地）３１，（横目地）３２を設けるようにして貼り詰めてタイルパネル１が構成されており、
前記各タイル２０を、地盤高ＧＬから１ｍ以上２ｍ以下の範囲内の所定の寸法だけ上方の高さである基準高ＤＬを始点として、それぞれ上方向または下方向に向かって割り付けることを特徴とする。
この請求項１に記載の発明によれば、パネル基材１１の表面に貼り詰められた各タイル２０は、地盤高ＧＬから１ｍ以上２ｍ以下の範囲内の所定の寸法Ｈ１だけ上方の高さである基準高ＤＬを始点として、それぞれ上方向または下方向に向かって割り付けられるので、タイルパネル１で覆われた外装面の前方に立つ人の目に留まりやすい基準高ＤＬ近傍において、この基準高ＤＬよりも人目につきにくい他の高さよりも、タイル２０のパネル基材１１に対する取付位置の誤差が小さくなる。したがって、この基準高ＤＬ近傍において、互いに隣接する二枚のタイルパネル１の目地３２の位置が確実に合わせられて、タイルパネル１の内部の目地３２の配列とタイルパネル１同士の隣接部の目地３２の配列との視覚的違和感を抑え、複数枚のタイルパネル１で覆われた外装面全体に、均一的に良好な意匠性を持たせることができる。
請求項２に記載の発明は、請求項１に記載のタイルパネルのタイル割付方法において、
前記タイルパネル１は、前記各タイル２０がその側面２２のうち互いに隣接する側面２２間に、面取部２３を備えるように形成されているタイルパネル、前記各タイル２０がその正面２１と側面２２との間に、面取部２４を備えるように形成されているタイルパネル、前記各タイル２０がその側面２２のうち互いに隣接する側面２２間に、面取部２３を備えるとともに、その正面２１と側面２２との間に、面取部２４を備えるように形成されているタイルパネル、前記各タイル２０がその正面２１と側面２２との交差部に凹陥部２５を備えるように形成されているタイルパネルのうちのいずれかであることを特徴とする。
ここで、上記面取部２３は、図１〜図３に示すように曲面から成るものであってもよいし、平面から成るものであってもよい。また、上記面取部２４は、図１〜図３に示すように曲面から成るものであってもよいし、平面から成るものであってもよい。また、タイル２０を製作する際に、所定形状の型を用いて凹陥部２５を形成するようにしてもよいし、一度タイル２０を成型した後、上記稜部にハツリを施して凹陥部２５を形成するようにしてもよい。
【０００７】
この請求項２記載の発明によれば、パネル基材１１の表面に貼り詰められた各タイル２０は、その側面２２のうち互いに隣接する側面２２間に、面取部２３を備えるように形成されているので、各タイル２０を正面２１から見たときの上下左右四辺の端部の角が取り除かれることになる。このことにより、タイルパネル１の製作寸法および取付位置の誤差により、互いに隣接する二枚のタイルパネル１の目地（図１では、横目地３２）の相互位置に、ズレＧが生じていても、この目地（図１では、横目地３２）のズレＧを目立たなくすることができる。したがって、タイルパネル１の内部の目地３１，３２の配列とタイルパネル１同士の隣接部の目地３１，３２の配列との視覚的違和感を抑え、複数枚のタイルパネル１で覆われた外装面全体に、均一的に良好な意匠性を持たせることができる。
【０００９】
また、パネル基材１１の表面に貼り付けられた各タイル２０は、その正面２１と側面２２との間に、面取部２４を備えるように形成されているので、各タイル２０を正面２１から見たときの上下左右四辺の稜部の角が取り除かれることになる。このことにより、タイルパネル１で覆われた外装面が光に照らされたとき、各タイル２０の下側および左側または右側の目地３１，３２に映るタイル２０の影が小さくなる。タイルパネル１の製作寸法および取付位置の誤差により、互いに隣接する二枚のタイルパネル１の目地（図１では、横目地３２）の相互位置に、ズレＧが生じる場合、特に日射の強い時などに上記の影が濃く出現し、このズレＧが強調されて目立つ場合があるが、タイル２０に面取部２４が備えられてタイル２０の影が小さくなることにより、この目地（図１では、横目地３２）のズレＧを目立たなくすることができる。したがって、タイルパネル１の内部の目地３１，３２の配列とタイルパネル１同士の隣接部の目地３１，３２の配列との視覚的違和感を抑え、複数枚のタイルパネル１で覆われた外装面全体に、均一的に良好な意匠性を持たせることができる。
【００１３】
また、パネル基材１１の表面に貼り付けられた各タイル２０は、その正面２１と側面２２との交差部に凹陥部２５を備えるように形成されているので、タイルパネル１で覆われた外装面が光に照らされたとき、各タイル２０の下側および左側または右側の目地３１，３２に映るタイル２０の影の幅が不均一になる。タイルパネル１の製作寸法および取付位置の誤差により、互いに隣接する二枚のタイルパネル１の目地（図１では、横目地３２）の相互位置に、ズレＧが生じる場合、特に日射の強い時などに上記の影が濃く出現し、この影の縁が直線状である場合には特に、ズレＧが強調されて目立つ場合があるが、タイル２０に凹陥部２５が備えられてタイル２０の影の幅が不均一にされることにより、この目地（図１では、横目地３２）のズレＧを目立たなくすることができる。したがって、タイルパネル１の内部の目地３１，３２の配列とタイルパネル１同士の隣接部の目地３１，３２の配列との視覚的違和感をさらに抑え、複数枚のタイルパネル１で覆われた外装面全体に、均一的に良好な意匠性を持たせることができる。さらに、タイル２０を正面２１から見たときの上下左右四辺の稜部に凹陥部２５が備えられることにより、タイル２０に経年変化を受けたような落ち着いた味わいのある意匠を付与することができる。
【００２０】
【発明の実施の形態】
以下、図面を参照して、本発明のタイルパネルのタイル割付方法を詳細に説明する。図１、図２は、それぞれ、本実施の形態のタイルパネルを示す、正面図、側面図である。図３は、同タイルパネルにおける、タイルの詳細を示す、斜視図である。図４は、本実施の形態のタイルパネル、および外壁パネルを示すもので、（ａ）は正面図、（ｂ）は縦断面図である。
【００２１】
本実施の形態のタイルパネル１、および外壁パネル２は、桟材からなる矩形枠状の少なくとも一方の面に面材が貼設された木製パネルを予め作成しておき、建築現場において、これら木製パネルを組み合わせ、住宅などの床、壁、屋根などを構築することによって、建築現場での施工作業を省力化することのできるパネル工法により構築される住宅（建物）に適用されたものである。
上記木製パネルには、壁パネル、床パネル、小屋パネル、屋根パネルなどの種類がある。後述する外壁パネル本体３は、建物の外周面に設置される壁パネルである。
この住宅は、１Ｍ（モジュール）＝９１０ｍｍを基準寸法として構築されている。
【００２２】
タイルパネル１は、図１および図２に示すように、略平板状のパネル基材１１の表面に複数個のタイル２０を、それらの間に幅Ｗ１＝１０ｍｍの縦目地（目地）３１および横目地（目地）３２を設けるようにして貼り詰めて構成されたものである。
このパネル基材１１は、繊維補強セメント板から形成されたものであって、その表面に各タイル２０が、接着剤により貼りつけられている。
タイルパネル１の寸法は、幅が略０．５Ｍ（＝４５５ｍｍ）に、高さが略３Ｍ（＝２７２５ｍｍ）に設定されている。
【００２３】
パネル基材１１の側端部には、図２に示すような上決（うわじゃくり）部１２と下決部１２が形成されている。そして、この上決部１２と下決部１３とが重ね合わせられることで、互いに隣接するタイルパネル１が、合決（あいじゃくり）継ぎにより接合されるようになっている。
【００２４】
タイルパネル１同士の隣接部の縦目地３１および横目地３２の幅Ｗ２は、タイルパネル１の設計上、一枚のパネル基板１１上に貼り付けられたタイル２０の間の縦目地３１および横目地３２の幅Ｗ１と等しい１０ｍｍに設定されている。
複数枚のタイルパネル１を、図１、図２および図４に示すように並列して設置した状態では、タイルパネル１の製作寸法および取付位置の誤差により、Ｗ２は必ずしも所期の寸法の１０ｍｍにならず、若干の誤差寸法を含む。言い換えると、このＷ２の幅に若干のあそびを持たせることで、複数枚のタイルパネル１が設置される際に、タイルパネル１の製作寸法や取付位置の誤差が吸収されるようになっている。上記誤差寸法は、最大で２ｍｍ程度に抑えるようにされている。
【００２５】
パネル基材１１に貼り付けられたタイル２０は、所定の金型を利用して図１〜図３に示すような形状に成型された上、焼き上げられて、形成されている。
タイル２０の側面２２のうち互いに隣接する側面２２間には、曲面からなる面取部２３を備えている。
また、タイル２０は、その正面２１と側面２２との間に、曲面からなる面取部２４を備えている。
【００２６】
さらに、タイル２０は、図１〜図３に示すように、その正面２１と側面２２との交差部に凹陥部２５を複数備えている。
この凹陥部２５は、各タイル２０を正面２１から見たときの上下左右四辺の稜部に不規則な間隔で不定形な凹形状に形成されている。
【００２７】
本実施の形態の外壁パネル２は、図４に示すように、外壁パネル本体３の表面に、上記タイルパネル１が取り付けられて、構成されたものである。
外壁パネル本体３は、上記のとおり、桟材からなる矩形枠状の少なくとも一方の面に面材が貼設された木製パネルから成り、その寸法は、幅が略１Ｍ（＝９１０ｍｍ）に、高さが略３Ｍ（＝２７３０ｍｍ）に設定されている。
外壁パネル２は、外壁パネル本体３の表面にタイルパネル１が取り付けられた状態に、工場において製作された上で、住宅の構築現場に搬入されるようになっている。
【００２８】
各タイルパネル１において、パネル基材１１の表面に貼り詰められた各タイル２０は、図４に示すように、タイルパネル１の下端から略１Ｍ（＝９１０ｍｍ）だけ上方の高さである基準高ＤＬを始点として、それぞれ上方向または下方向に向かって割り付けられるようになっている。
ここで、この住宅の基礎の高さは略５００ｍｍに、床パネルの厚さは略９０ｍｍに設定されている。
したがって、外壁パネル本体３がその取付箇所に取り付けられた状態において、各タイル２０はタイルパネル１の表面に、地盤高ＧＬからＨ１（≒１５００ｍｍ）だけ上方の高さである基準高ＤＬを始点として、それぞれ上方向または下方向に向かって割り付けられるようになっている。
【００２９】
以上、本実施の形態に記載のタイルパネル１によれば、パネル基材１１の表面に貼り詰められた各タイル２０は、その側面２２のうち互いに隣接する側面２２間に、曲面からなる面取部２３を備えるように形成されているので、各タイル２０を正面２１から見たときの上下左右四辺の端部に丸みが付与されることになる。
このことにより、タイルパネル１の製作寸法および取付位置の誤差により、互いに隣接する二枚のタイルパネル１の目地（図１では、横目地３２）の相互位置に、ズレＧが生じていても、この目地（図１では、横目地３２）のズレＧを目立たなくすることができる。
したがって、タイルパネル１の内部の目地３１，３２の配列とタイルパネル１同士の隣接部の目地３１，３２の配列との視覚的違和感を抑え、複数枚のタイルパネル１で覆われた外装面全体に、均一的に良好な意匠性を持たせることができる。
【００３０】
また、パネル基材１１の表面に貼り付けられた各タイル２０は、その正面２１と側面２２との間に、曲面からなる面取部２４を備えるように形成されているので、各タイル２０を正面２１から見たときの上下左右四辺の稜部に丸みが付与されることになる。
このことにより、外装面が光に照らされたとき、各タイル２０の下側および左側または右側の目地３１，３２に映るタイル２０の影が小さくなる。
タイルパネル１の製作寸法および取付位置の誤差により、互いに隣接する二枚のタイルパネル１の目地（図１では、横目地３２）の相互位置に、ズレＧが生じる場合、特に日射の強い時などに上記の影が濃く出現し、このズレＧが強調されて目立つ場合があるが、タイル２０に面取部２４が備えられてタイル２０の影が小さくなることにより、この目地（図１では、横目地３２）のズレＧを目立たなくすることができる。
したがって、タイルパネル１の内部の目地３１，３２の配列とタイルパネル１同士の隣接部の目地３１，３２の配列との視覚的違和感を抑え、複数枚のタイルパネル１で覆われた外装面全体に、均一的に良好な意匠性を持たせることができる。
【００３１】
また、パネル基材１１の表面に貼り付けられた各タイル２０は、その正面２１と側面２２との交差部に凹陥部２５を備えるように形成されているので、タイルパネル１で覆われた外装面が光に照らされたとき、各タイル２０の下側および左側または右側の目地３１，３２に映るタイル２０の影の幅が不均一になる。
タイルパネル１の製作寸法および取付位置の誤差により、互いに隣接する二枚のタイルパネル１の目地（図１では、横目地３２）の相互位置に、ズレＧが生じる場合、特に日射の強い時などに上記の影が濃く出現し、この影の縁が直線状である場合には特に、ズレＧが強調されて目立つ場合があるが、タイル２０に凹陥部２５が備えられてタイル２０の影の幅が不均一にされることにより、この目地（図１では、横目地３２）のズレＧを目立たなくすることができる。
したがって、タイルパネル１の内部の目地３１，３２の配列とタイルパネル１同士の隣接部の目地３１，３２の配列との視覚的違和感をさらに抑え、複数枚のタイルパネル１で覆われた外装面全体に、均一的に良好な意匠性を持たせることができる。
さらに、タイル２０を正面２１から見たときの上下左右四辺の稜部に凹陥部２５が備えられることにより、タイル２０に経年変化を受けたような落ち着いた味わいのある意匠を付与することができる。
【００３２】
また、パネル基材１１の表面に貼り詰められた各タイル２０は、地盤高ＧＬまたは各階の床高ＦＬから１ｍ以上２ｍ以下の範囲内の所定の寸法Ｈ１（Ｈ２）だけ上方の高さである基準高ＤＬを始点として、それぞれ上方向または下方向に向かって割り付けられているので、タイルパネル１で覆われた外装面の前方に立つ人の目に留まりやすい基準高ＤＬ近傍において、この基準高ＤＬよりも人目につきにくい他の高さよりも、タイル２０のパネル基材１１に対する取付位置の誤差が小さくなる。
したがって、この基準高ＤＬ近傍において、互いに隣接する二枚のタイルパネル１の目地３２の位置が確実に合わせられて、タイルパネル１の内部の目地３２の配列とタイルパネル１同士の隣接部の目地３２の配列との視覚的違和感を抑え、複数枚のタイルパネル１で覆われた外装面全体に、均一的に良好な意匠性を持たせることができる。
【００３３】
また、本実施の形態に記載の外壁パネル２によれば、外壁パネル本体３の表面に、上記タイルパネル１が取り付けられているので、建築現場で外壁パネル本体３にタイルパネル１を取り付ける作業を減らし、建物の外装面の施工期間や施工費用を削減することできる。
これとともに、外壁パネル本体３に取り付けられたタイルパネル１の内部の目地３１，３２の配列と外壁パネル３同士の隣接部の目地３１，３２の配列との視覚的違和感を抑え、複数枚の外壁パネル３で覆われた外装面全体に、均一的に良好な意匠性を持たせることができる。
【００３４】
なお、本発明は上記の実施の形態に限定されることなく、本発明の主旨を逸脱しない範囲において、種々の改良並びに設計の変更を行ってもよい。
例えば、本実施の形態では、タイル２０は、所定形状の金型を利用して、図１〜図３に示すような、面取部２３，２４および凹陥部２５を備える形状に成型された上、焼き上げられて形成されている。これに代えて、断面が矩形の型を利用して一度タイルを成型した後、タイルの正面と側面とが接する稜角部、および互いに隣接する二つの側面が接する稜角部にハツリを施して、上記面取部や凹陥部を形成するようにしてもよい。
また、本実施の形態では、タイル２０の面取部２３，２４は、図１〜図３に示すように曲面から成るものであるが、これに代えて、上記面取部が平面から成るように形成されたタイルを用いてもよい。
その他、具体的な細部構造などについても適宜に変更可能であることは勿論である。
【００３５】
【発明の効果】
請求項１記載の発明によれば、パネル基材の表面に貼り詰められた各タイルは、地盤高から１ｍ以上２ｍ以下の範囲内の所定の寸法だけ上方の高さである基準高を始点として、それぞれ上方向または下方向に向かって割り付けられるので、タイルパネルで覆われた外装面の前方に立つ人の目に留まりやすい基準高近傍において、この基準高よりも人目につきにくい他の高さよりも、タイルのパネル基材に対する取付位置の誤差が小さくなる。したがって、この基準高近傍において、互いに隣接する二枚のタイルパネルの目地の位置が確実に合わせられて、タイルパネルの内部の目地の配列とタイルパネル同士の隣接部の目地の配列との視覚的違和感を抑え、複数枚のタイルパネルで覆われた外装面全体に、均一的に良好な意匠性を持たせることができる。
請求項２に記載の発明によれば、パネル基材の表面に貼り詰められた各タイルは、その側面のうち互いに隣接する側面間に、面取部を備えるように形成されているので、各タイルを正面から見たときの上下左右四辺の端部の角が取り除かれることになる。このことにより、タイルパネルの製作寸法および取付位置の誤差により、互いに隣接する二枚のタイルパネルの目地の相互位置に、ズレが生じていても、この目地のズレを目立たなくすることができる。したがって、タイルパネルの内部の目地の配列とタイルパネル同士の隣接部の目地の配列との視覚的違和感を抑え、複数枚のタイルパネルで覆われた外装面全体に、均一的に良好な意匠性を持たせることができる。
【００３６】
また、パネル基材の表面に貼り詰められた各タイルは、その側面のうち互いに隣接する側面間に、面取部を備えるように形成されているので、各タイルを正面から見たときの上下左右四辺の端部の角が取り除かれることになる。このことにより、タイルパネルの製作寸法および取付位置の誤差により、互いに隣接する二枚のタイルパネルの目地の相互位置に、ズレが生じていても、この目地のズレを目立たなくすることができる。したがって、タイルパネルの内部の目地の配列とタイルパネル同士の隣接部の目地の配列との視覚的違和感を抑え、複数枚のタイルパネルで覆われた外装面全体に、均一的に良好な意匠性を持たせることができる。
【００３８】
また、パネル基材の表面に貼り付けられた各タイルは、その正面と側面との交差部に凹陥部を備えるように形成されているので、タイルパネルで覆われた外装面が光に照らされたとき、各タイルの下側および左側または右側の目地に映るタイルの影の幅が不均一になる。タイルパネルの製作寸法および取付位置の誤差により、互いに隣接する二枚のタイルパネルの目地の相互位置に、ズレが生じる場合、特に日射の強い時などに上記の影が濃く出現し、この影の縁が直線状である場合には特に、ズレが強調されて目立つ場合があるが、タイルに凹陥部が備えられてタイルの影の幅が不均一にされることにより、この目地のズレを目立たなくすることができる。したがって、タイルパネルの内部の目地の配列とタイルパネル同士の隣接部の目地の配列との視覚的違和感をさらに抑え、複数枚のタイルパネルで覆われた外装面全体に、均一的に良好な意匠性を持たせることができる。さらに、タイルを正面から見たときの上下左右四辺の稜部に凹陥部が備えられることにより、タイルに経年変化を受けたような落ち着いた味わいのある意匠を付与することができる。
【図面の簡単な説明】
【図１】本発明のタイルパネルの一例を示す、正面図である。
【図２】本発明のタイルパネルの一例を示す、側面図である。
【図３】同例における、タイルの詳細を示す、斜視図である。
【図４】本発明のタイルパネル、および外壁パネルの一例を示すもので、（ａ）は正面図、（ｂ）は縦断面図である。
【符号の説明】
１            タイルパネル
２            外壁パネル
３            外壁パネル本体
１１          パネル基材
２０          タイル
２１          正面
２２          側面
２３，２４    面取部
２５          凹陥部
３１          目地（縦目地）
３２          目地（横目地）
Ｇ            （目地の位置の）ズレ
ＧＬ          地盤高
ＦＬ          床高
ＤＬ          基準高
【図１】
0003805647.tif 000002
【図２】
0003805647.tif 000003
【図３】
0003805647.tif 000004
【図４】
0003805647.tif 000005